(57)【特許請求の範囲】
【請求項１】
無線アクセスポイントに正常にアクセスしたデバイスである所定のデバイスがブロードキャストした前記無線アクセスポイントのアクセス情報であって、前記無線アクセスポイントのＢＳＳＩＤ及びアクセスパスワードを含むアクセス情報を受信するステップと、
前記ＢＳＳＩＤに基づいて、前記ＢＳＳＩＤが付加されたデバイス発見情報をユニキャストするステップと、
前記無線アクセスポイントが送信したフィードバック情報であって、前記無線アクセスポイントのオリジナルＳＳＩＤが付加されたフィードバック情報を受信するステップと、
前記フィードバック情報中に付加された前記オリジナルＳＳＩＤ及び前記アクセスパスワードに基づいて、前記無線アクセスポイントにアクセスするステップと
を含むことを特徴とする無線アクセスポイントのアクセス方法。
【請求項２】
前記ＢＳＳＩＤに基づいてデバイス発見情報をユニキャストするステップは、
前記ＢＳＳＩＤが付加されたＰｒｏｂｅ Ｒｅｑｕｅｓｔをユニキャストするステップ
を含むことを特徴とする請求項１に記載の無線アクセスポイントのアクセス方法。
【請求項３】
前記無線アクセスポイントが送信したフィードバック情報を受信するステップは、
前記無線アクセスポイントが送信したＰｒｏｂｅ Ｒｅｓｐｏｎｓｅを受信するステップ
を含むことを特徴とする請求項２に記載の無線アクセスポイントのアクセス方法。
【請求項４】
前記アクセス情報は、前記所定のデバイスがブロードキャストした前記無線アクセスポイントのＳＳＩＤをさらに含み、
前記ＢＳＳＩＤに基づいてデバイス発見情報をユニキャストするステップの前に、
前記アクセス情報中の前記ＳＳＩＤ中に、互いに異なるエンコード形式が存在するキャラクターである予め設定したキャラクターが含まれているか否かを検出するステップと、
前記予め設定したキャラクターが含まれていると、前記ＢＳＳＩＤに基づいてデバイス発見情報をユニキャストするステップと
をさらに含むことを特徴とする請求項１乃至３のいずれか１項に記載の無線アクセスポイントのアクセス方法。
【請求項５】
無線アクセスポイントにアクセスするステップと、
スマートデバイスが前記無線アクセスポイントにアクセスするように指示するための前記無線アクセスポイントのＢＳＳＩＤ及びアクセスパスワードを含むアクセス情報をブロードキャストするステップと
を含み、
前記無線アクセスポイントのアクセス情報をブロードキャストするステップの前に、
前記無線アクセスポイントのＳＳＩＤの中に、互いに異なるエンコード形式が存在するキャラクターである予め設定したキャラクターが含まれているか否かを検出するステップと、
前記予め設定したキャラクターが含まれていると、前記無線アクセスポイントのアクセス情報をブロードキャストするステップと
をさらに含むことを特徴とする無線アクセスポイントのアクセス方法。
【請求項６】
無線アクセスポイントに正常にアクセスしたデバイスである所定のデバイスがブロードキャストした前記無線アクセスポイントのアクセス情報であって、前記無線アクセスポイントのＢＳＳＩＤ及びアクセスパスワードを含むアクセス情報を受信する第１受信モジュールと、
前記第１受信モジュールが受信した前記ＢＳＳＩＤに基づいて、前記ＢＳＳＩＤが付加されたデバイス発見情報をユニキャストするユニキャストモジュールと、
前記無線アクセスポイントが送信したフィードバック情報であって、前記無線アクセスポイントのオリジナルＳＳＩＤが付加されたフィードバック情報を受信する第２受信モジュールと、
前記第２受信モジュールが受信した前記フィードバック情報中に付加された前記オリジナルＳＳＩＤ、及び、前記第１受信モジュールが受信した前記アクセスパスワードに基づいて、前記無線アクセスポイントにアクセスするアクセスモジュールと
を備えることを特徴とする無線アクセスポイントのアクセス装置。
【請求項７】
前記ユニキャストモジュールは、さらに、前記ＢＳＳＩＤが付加されたＰｒｏｂｅ Ｒｅｑｕｅｓｔをユニキャストする
ことを特徴とする請求項６に記載の無線アクセスポイントのアクセス装置。
【請求項８】
前記第２受信モジュールは、さらに、前記無線アクセスポイントがブロードキャストしたＰｒｏｂｅ Ｒｅｓｐｏｎｓｅを受信する
ことを特徴とする請求項７に記載の無線アクセスポイントのアクセス装置。
【請求項９】
前記アクセス情報は、前記所定のデバイスがブロードキャストした前記無線アクセスポイントのＳＳＩＤをさらに含み、
前記ユニキャストモジュールが前記ＢＳＳＩＤに基づいてデバイス発見情報をユニキャストする前に、前記アクセス情報中の前記ＳＳＩＤ中に、互いに異なるエンコード形式が存在するキャラクターである予め設定したキャラクターが含まれているか否かを検出する検出モジュール
をさらに備え、
前記ユニキャストモジュールは、前記検出モジュールの検出結果が、前記予め設定したキャラクターが含まれていると、前記ＢＳＳＩＤに基づいてデバイス発見情報をユニキャストする
ことを特徴とする請求項６乃至８のいずれか１項に記載の無線アクセスポイントのアクセス装置。
【請求項１０】
無線アクセスポイントにアクセスするアクセスモジュールと、
スマートデバイスが前記無線アクセスポイントにアクセスするように指示するための前記無線アクセスポイントのＢＳＳＩＤ及びアクセスパスワードを含むアクセス情報をブロードキャストするブロードキャストモジュールと
を備え、
前記ブロードキャストモジュールが前記無線アクセスポイントのアクセス情報をブロードキャストする前に、前記無線アクセスポイントのＳＳＩＤの中に、互いに異なるエンコード形式が存在するキャラクターである予め設定したキャラクターが含まれているか否かを検出する検出モジュール
をさらに備え、
前記ブロードキャストモジュールは、前記検出モジュールの検出結果が、前記予め設定したキャラクターが含まれていると、前記無線アクセスポイントのアクセス情報をブロードキャストする
ことを特徴とする無線アクセスポイントのアクセス装置。
【請求項１１】
プロセッサと、
前記プロセッサが実行可能な命令を記憶するためのメモリと
を備え、
前記プロセッサは、
無線アクセスポイントに正常にアクセスしたデバイスである所定のデバイスがブロードキャストした前記無線アクセスポイントのアクセス情報であって、前記無線アクセスポイントのＢＳＳＩＤ及びアクセスパスワードを含むアクセス情報を受信し、
前記ＢＳＳＩＤに基づいて、前記ＢＳＳＩＤが付加されたデバイス発見情報ユニキャストし、
前記無線アクセスポイントが送信したフィードバック情報であって、前記無線アクセスポイントのオリジナルＳＳＩＤが付加されたフィードバック情報を受信し、
前記フィードバック情報中に付加された前記オリジナルＳＳＩＤ及び前記アクセスパスワードに基づいて、前記無線アクセスポイントにアクセスする
ように構成されることを特徴とする無線アクセスポイントのアクセス装置。
【請求項１２】
プロセッサと、
前記プロセッサが実行可能な命令を記憶するためのメモリと
を備え、
前記プロセッサは、
無線アクセスポイントにアクセスし、
前記無線アクセスポイントのＳＳＩＤの中に、互いに異なるエンコード形式が存在するキャラクターである予め設定したキャラクターが含まれているか否かを検出し、
前記予め設定したキャラクターが含まれていると、スマートデバイスが前記無線アクセスポイントにアクセスするように指示するための前記無線アクセスポイントのＢＳＳＩＤ及びアクセスパスワードを含むアクセス情報を、前記スマートデバイスにブロードキャストする
ように構成されることを特徴とする無線アクセスポイントのアクセス装置。
【請求項１３】
プロセッサに実行されることにより、請求項１から請求項５のいずれか１項に記載の無線アクセスポイントのアクセス方法を実現することを特徴とするプログラム。
【請求項１４】
請求項１３に記載のプログラムが記録された記録媒体。
【発明の詳細な説明】
【技術分野】
【０００１】
本発明は、通信技術分野に関し、特に、無線アクセスポイントのアクセス方法、装置、プログラム及び記録媒体に関する。
【背景技術】
【０００２】
現在、多くのスマートデバイスは、すべて、Ｗｉ−Ｆｉ（Ｗｉｒｅｌｅｓｓ−Ｆｉｄｅｌｉｔｙ）機能を利用できるようになった。しかし、ほとんどのスマートデバイスは、キーボード及び無線ルータのＳＳＩＤ（Ｓｅｒｖｉｃｅ Ｓｅｔ Ｉｄｅｎｔｉｆｉｅｒ）を表示するための表示スクリーンを備えてないので、これらスマートデバイスは、一般的に、無線ルータに直接にアクセスできない。
【０００３】
関連技術で提供するアクセス方法は、携帯電話が、無線ルータにアクセスした後に、無線ルータのＳＳＩＤ及びアクセスパスワードをユニキャストし、スマートデバイスは携帯電話がユニキャストしたＳＳＩＤ及びアクセスパスワードによって無線ルータにアクセスする。
【０００４】
ＳＳＩＤには標準化されたエンコード形式がないため、無線ルータのＳＳＩＤのエンコード形式と携帯電話のデフォルトのＳＳＩＤのエンコード形式が互いに異なる場合、携帯電話は、無線ルータのＳＳＩＤのエンコード形式を携帯電話のデフォルトのＳＳＩＤのエンコード形式に自動的に変更することになる。このようにして、携帯電話は符号化後のＳＳＩＤをスマートデバイスにユニキャストし、スマートデバイスは携帯電話がユニキャストしたＳＳＩＤ及びアクセスパスワードによって無線ルータにアクセスしようとすると、無線ルータは変更後のＳＳＩＤを認識できなくなり、スマートデバイスは無線ルータに正常に接続できない。
【発明の概要】
【発明が解決しようとする課題】
【０００５】
本発明の実施例は、関連技術で存在する問題を解決するために、無線アクセスポイントのアクセス方法、装置、プログラム及び記録媒体を提供する。
【課題を解決するための手段】
【０００６】
本発明の実施例に係る第１の態様によると、無線アクセスポイントのアクセス方法を提供する。
【０００７】
当該方法は、
無線アクセスポイントに正常にアクセスしたデバイスである所定のデバイスがブロードキャストした前記無線アクセスポイントのアクセス情報であって、前記無線アクセスポイントのＢＳＳＩＤ及びアクセスパスワードを含むアクセス情報を受信するステップと、
前記ＢＳＳＩＤに基づいて、前記ＢＳＳＩＤが付加されたデバイス発見情報をユニキャストするステップと、
前記無線アクセスポイントが送信したフィードバック情報であって、前記無線アクセスポイントのオリジナルＳＳＩＤが付加されたフィードバック情報を受信するステップと、
前記フィードバック情報中に付加された前記オリジナルＳＳＩＤ及び前記アクセスパスワードに基づいて、前記無線アクセスポイントにアクセスするステップと
を含む。
【０００８】
オプションとして、
ＢＳＳＩＤに基づいてデバイス発見情報をユニキャストするステップは、
ＢＳＳＩＤが付加されたＰｒｏｂｅ Ｒｅｑｕｅｓｔをユニキャストするステップ
を含む。
【０００９】
オプションとして、
無線アクセスポイントが送信したフィードバック情報を受信するステップは、
無線アクセスポイントが送信したＰｒｏｂｅ Ｒｅｓｐｏｎｓｅを受信するステップ
を含む。
【００１０】
オプションとして、
アクセス情報は、所定のデバイスがブロードキャストした無線アクセスポイントのＳＳＩＤをさらに含み、
ＢＳＳＩＤに基づいてデバイス発見情報をユニキャストするステップの前に、
アクセス情報中のＳＳＩＤ中に、互いに異なるエンコード形式が存在するキャラクターである予め設定したキャラクターが含まれているか否かを検出するステップと、
予め設定したキャラクターが含まれていると、ＢＳＳＩＤに基づいてデバイス発見情報をユニキャストするステップと
をさらに含む。
【００１１】
本発明の実施例に係る第２の態様によると、無線アクセスポイントのアクセス方法を提供する。
【００１２】
当該方法は、
無線アクセスポイントにアクセスするステップと、
スマートデバイスが無線アクセスポイントにアクセスするように指示するための無線アクセスポイントのＢＳＳＩＤ及びアクセスパスワードを含む無線アクセスポイントのアクセス情報をブロードキャストするステップと
を含む。
【００１３】
オプションとして、
無線アクセスポイントのアクセス情報をブロードキャストするステップの前に、
無線アクセスポイントのＳＳＩＤ中に、互いに異なるエンコード形式が存在するキャラクターである予め設定したキャラクターが含まれているか否かを検出するステップと、
予め設定したキャラクターが含まれていると、無線アクセスポイントのアクセス情報をブロードキャストするステップと
をさらに含む。
【００１４】
本発明の実施例に係る第３の態様によると、無線アクセスポイントのアクセス装置を提供する。
【００１５】
当該装置は、
無線アクセスポイントに正常にアクセスしたデバイスである所定のデバイスがブロードキャストした無線アクセスポイントのアクセス情報であって、無線アクセスポイントのＢＳＳＩＤ及びアクセスパスワードを含むアクセス情報を受信する第１受信モジュールと、
第１受信モジュールが受信したＢＳＳＩＤに基づいて、前記ＢＳＳＩＤが付加されたデバイス発見情報をユニキャストするユニキャストモジュールと、
無線アクセスポイントが送信したフィードバック情報であって、無線アクセスポイントのオリジナルＳＳＩＤが付加されたフィードバック情報を受信する第２受信モジュールと、
第２受信モジュールが受信したフィードバック情報中に付加されたオリジナルＳＳＩＤ、及び、第１受信モジュールが受信したアクセスパスワードによって、無線アクセスポイントにアクセスするアクセスモジュールと
を備える。
【００１６】
オプションとして、
ユニキャストモジュールは、さらに、ＢＳＳＩＤが付加されたＰｒｏｂｅ Ｒｅｑｕｅｓｔをユニキャストする。
【００１７】
オプションとして、
第２受信モジュールは、さらに、無線アクセスポイントが送信したＰｒｏｂｅ Ｒｅｓｐｏｎｓｅを受信する。
【００１８】
オプションとして、
アクセス情報は、所定のデバイスがブロードキャストした無線アクセスポイントのＳＳＩＤをさらに含み、
当該装置は、
ユニキャストモジュールがＢＳＳＩＤに基づいてデバイス発見情報をユニキャストする前に、アクセス情報中のＳＳＩＤ中に、互いに異なるエンコード形式が存在するキャラクターである予め設定したキャラクターが含まれているか否かを検出する検出モジュール
をさらに備え、
ユニキャストモジュールは、検出モジュールの検出結果が、予め設定したキャラクターが含まれていると、前記ＢＳＳＩＤに基づいてデバイス発見情報をユニキャストする。
【００１９】
本発明の実施例に係る第４の態様によると、無線アクセスポイントのアクセス装置を提供する。
【００２０】
当該装置は、
無線アクセスポイントにアクセスするアクセスモジュールと、
スマートデバイスが無線アクセスポイントにアクセスするように指示するための無線アクセスポイントのＢＳＳＩＤ及びアクセスパスワードを含む無線アクセスポイントのアクセス情報をブロードキャストするブロードキャストモジュールと
を備える。
【００２１】
オプションとして、
当該装置は、
ブロードキャストモジュールが無線アクセスポイントのアクセス情報をブロードキャストする前に、無線アクセスポイントのＳＳＩＤ中に、互いに異なるエンコード形式が存在するキャラクターである予め設定したキャラクターが含まれているか否かを検出する検出モジュール
をさらに備え、
ブロードキャストモジュールは、検出モジュールの検出結果が、予め設定したキャラクターが含まれていると、前記無線アクセスポイントのアクセス情報をブロードキャストする。
【００２２】
本発明の実施例に係る第５の態様によると、無線アクセスポイントのアクセス装置を提供する。
【００２３】
当該装置は、
プロセッサと、
前記プロセッサが実行可能な命令を記憶するためのメモリと
を備え、
前記プロセッサは、
無線アクセスポイントに正常にアクセスしたデバイスである所定のデバイスがブロードキャストした無線アクセスポイントのアクセス情報であって、無線アクセスポイントのＢＳＳＩＤ及びアクセスパスワードを含むアクセス情報を受信し、
ＢＳＳＩＤに基づいて前記ＢＳＳＩＤが付加されたデバイス発見情報をユニキャストし、
無線アクセスポイントが送信したフィードバック情報であって、無線アクセスポイントのオリジナルＳＳＩＤが付加されたフィードバック情報を受信し、
フィードバック情報中に付加されたオリジナルＳＳＩＤ及びアクセスパスワードによって、無線アクセスポイントにアクセスする
ように構成される。
【００２４】
本発明の実施例に係る第６の態様によると、無線アクセスポイントのアクセス装置を提供する。
【００２５】
当該装置は、
プロセッサと、
前記プロセッサが実行可能な命令を記憶するためのメモリと
を備え、
前記プロセッサは、
無線アクセスポイントにアクセスし、
スマートデバイスが無線アクセスポイントにアクセスするように指示するための無線アクセスポイントのＢＳＳＩＤ及びアクセスパスワードを含む無線アクセスポイントのアクセス情報をブロードキャストする
ように構成される。
本発明の実施例の第４の態様によると、プログラムを提供し、当該プログラムは、プロセッサに実行されることにより、上記の無線アクセスポイントのアクセス方法を実現する。
本発明の実施例の第５の態様によると、記録媒体を提供し、当該記録媒体には、上記プログラムが記録されている。
【発明の効果】
【００２６】
本発明の実施例が提供する構成の有益な効果は以下のとおりである。
【００２７】
スマートデバイスは、所定のデバイスがブロードキャストしたＢＳＳＩＤ及びアクセスパスワードを受信し、受信したＢＳＳＩＤに基づいてデバイス発見情報をユニキャストし、無線アクセスデバイスがデバイス発見情報を受信した後に送信した無線アクセスポイントのオリジナルＳＳＩＤを含むフィードバック情報を受信して、フィードバック情報中のオリジナルＳＳＩＤ及び既に受信したアクセスパスワードによって、無線アクセスポイントにアクセスする。このようにして、関連技術における無線ルータによってスマートデバイスが受信したＳＳＩＤが認識できないことにより、スマートデバイスが無線ルータに正常に接続できない問題を解決して、スマートデバイスを無線ルータに正常に接続させるようにする技術効果を得た。
【００２８】
以上の統括した記述と以下の詳細な記述は、ただ例示的なものであり、本発明を限定するものではないと、理解するべきである。
【図面の簡単な説明】
【００２９】
ここでの図面は、明細書に合併されて本明細書の一部を構成して本発明に合致する実施例を示し、明細書とともに本発明の原理を説明するために用いられる。
【００３０】
【図１】図１は、一部の例示的な実施例に係る無線アクセスポイントのアクセス方法についての実施環境を示す模式図である。
【図２】図２は、例示的な一実施例に係る無線アクセスポイントのアクセス方法を示すフローチャートである。
【図３】図３は、例示的な他の一実施例に係る無線アクセスポイントのアクセス方法を示すフローチャートである。
【図４Ａ】図４Ａは、例示的な他の一実施例に係る無線アクセスポイントのアクセス方法を示すフローチャートである。
【図４Ｂ】図４Ｂは、例示的な他の一実施例に係る無線アクセスポイントのアクセス方法を示すフローチャートである。
【図５】図５は、例示的な一実施例に係る無線アクセスポイントのアクセス装置を示すブロック図である。
【図６】図６は、例示的な一実施例に係る無線アクセスポイントのアクセス装置を示すブロック図である。
【図７】図７は、例示的な他の一実施例に係る無線アクセスポイントのアクセス装置を示すブロック図である。
【図８】図８は、例示的な他の一実施例に係る無線アクセスポイントのアクセス装置を示すブロック図である。
【図９】図９は、例示的な一実施例に係る無線アクセスポイントのアクセス装置を示すブロック図である。
【発明を実施するための形態】
【００３１】
ここで、例示的な実施例を詳細に説明する。また、説明中の例は、図面に示している。以下の記述において、図面を説明する際に特に説明しない場合、異なる図面中の同一の符号は、同一又は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３２】
図１は、一部の例示的な実施例に係る無線アクセスポイントのアクセス方法についての実施環境を示す模式図である。図１に示したように、当該実施環境は、所定のデバイス１２０、スマートデバイス１４０及び無線アクセスデバイス１６０を含む。
【００３３】
所定のデバイス１２０は、携帯電話、タブレットＰＣ、電子書籍リーダー、ラップトップコンピュータ等であってもよい。所定のデバイス１２０は、Ｗｉ−Ｆｉを介して、無線アクセスデバイス１６０と接続してもよい。また、所定のデバイス１２０は、Ｂｌｕｅｔｏｏｔｈ（登録商標）、ＮＦＣ（Ｎｅａｒ Ｆｉｅｌｄ Ｃｏｍｍｕｎｉｃａｔｉｏｎ）、或は、Ｚｉｇｂｅｅ（Ｚｉｇｚａｇ Ｆｌｙｉｎｇ ｏｆ Ｂｅｅｓ）を介して、スマートデバイス１４０と接続してもよい。
【００３４】
スマートデバイス１４０は、スマートエアコン、スマートテレビ、スマート冷蔵庫、空気清浄機、スマート炊飯器、スマート給湯器等であってもよい。スマートデバイス１４０は、Ｂｌｕｅｔｏｏｔｈ（登録商標）、ＮＦＣ、Ｚｉｇｂｅｅ、又は、Ｗｉ−Ｆｉを介して、無線アクセスデバイス１６０と接続してもよい。実際に実現する際、スマートデバイス１４０は、一つ以上あってもよい。
【００３５】
無線アクセスデバイス１６０は、無線ルータであってもよい。
【００３６】
図２は、例示的な一実施例に係る無線アクセスポイントのアクセス方法を示すフローチャートである。本実施例は、当該方法を図１に示したスマートデバイスに応用する例を挙げて説明する。図２に示したように、当該方法は、以下のステップを含んでもよい。
【００３７】
ステップ２０１において、無線アクセスポイントに正常にアクセスしたデバイスである所定のデバイスがブロードキャストした無線アクセスポイントのアクセス情報であって、無線アクセスポイントのＢＳＳＩＤ（Ｂａｓｉｃ Ｓｅｒｖｉｃｅ Ｓｅｔ Ｉｄｅｎｔｉｆｉｅｒ、メディアアクセス制御）及びアクセスパスワードを含むアクセス情報を受信する。
【００３８】
ステップ２０２において、ＢＳＳＩＤに基づいて、ＢＳＳＩＤが付加されたデバイス発見情報をユニキャストする。
【００３９】
ステップ２０３において、無線アクセスポイントが送信したフィードバック情報であって、無線アクセスポイントのオリジナルＳＳＩＤが付加されたフィードバック情報を受信する。
【００４０】
ステップ２０４において、フィードバック情報中に付加されたオリジナルＳＳＩＤ及びアクセスパスワードによって、無線アクセスポイントにアクセスする。
【００４１】
オプションとして、ＢＳＳＩＤに基づいてデバイス発見情報をユニキャストするステップは、
ＢＳＳＩＤが付加されたＰｒｏｂｅ Ｒｅｑｕｅｓｔをユニキャストするステップを含む。
【００４２】
オプションとして、無線アクセスポイントが送信したフィードバック情報を受信するステップは、
無線アクセスポイントが送信したＰｒｏｂｅ Ｒｅｓｐｏｎｓｅを受信するステップを含む。
【００４３】
オプションとして、アクセス情報は、所定のデバイスがブロードキャストした無線アクセスポイントのＳＳＩＤをさらに含み、
当該方法は、
ＢＳＳＩＤに基づいてデバイス発見情報をユニキャストするステップの前に、
アクセス情報中のＳＳＩＤ中に、互いに異なるエンコード形式が存在するキャラクターである予め設定したキャラクターが含まれているか否かを検出するステップと、
予め設定したキャラクターが含まれていると、ＢＳＳＩＤに基づいてデバイス発見情報をユニキャストするステップと
をさらに含む。
【００４４】
上記のように、本実施例によって提供する無線アクセスポイントのアクセス方法によれば、スマートデバイスは、所定のデバイスがブロードキャストしたＢＳＳＩＤ及びアクセスパスワードを受信し、受信したＢＳＳＩＤに基づいてデバイス発見情報をユニキャストし、無線アクセスデバイスがデバイス発見情報を受信した後に送信した無線アクセスポイントのオリジナルＳＳＩＤを含むフィードバック情報を受信して、フィードバック情報中のオリジナルＳＳＩＤ及び既に受信したアクセスパスワードによって、無線アクセスポイントにアクセスする。このようにして、関連技術における無線ルータによってスマートデバイスが受信したＳＳＩＤが認識できないことにより、スマートデバイスが無線ルータに正常に接続できない問題を解決して、スマートデバイスを無線ルータに正常に接続させるようにする技術効果を得た。
【００４５】
図３は、例示的な一実施例に係る無線アクセスポイントのアクセス方法を示すフローチャートである。本実施例は、当該方法を図１に示した所定のデバイスに応用する例を挙げて説明する。図３に示したように、当該方法は、以下のステップを含んでもよい。
【００４６】
ステップ３０１において、無線アクセスポイントにアクセスする。
【００４７】
ステップ３０２において、スマートデバイスが無線アクセスポイントにアクセスするように指示するための無線アクセスポイントのＢＳＳＩＤ及びアクセスパスワードを含む無線アクセスポイントのアクセス情報をブロードキャストする。
【００４８】
当該方法は、
オプションとして、無線アクセスポイントのアクセス情報をブロードキャストするステップの前に、
無線アクセスポイントのＳＳＩＤ中に、互いに異なるエンコード形式が存在するキャラクターである予め設定したキャラクターが含まれているか否かを検出するステップと、
予め設定したキャラクターが含まれていると、無線アクセスポイントのアクセス情報をブロードキャストするステップと
をさらに含む。
【００４９】
上記のように、本実施例によって提供する無線アクセスポイントのアクセス方法によれば、所定のデバイスは、無線アクセスポイントにアクセスした後に、ＢＳＳＩＤ及びアクセスパスワードが付加された無線アクセスポイントのアクセス情をブロードキャストすることにより、スマートデバイスが、当該アクセス情報を受信した後に、受信したＢＳＳＩＤ及びアクセスパスワードによって無線アクセスポイントにアクセスするようにする。このようにして、関連技術における無線ルータによってスマートデバイスが受信したＳＳＩＤが認識できないことによる、スマートデバイスが無線ルータに正常に接続できない問題を解決して、スマートデバイスを無線ルータに正常に接続させるようにする技術効果を得た。
【００５０】
図４Ａは、例示的な他の一実施例に係る無線アクセスポイントのアクセス方法を示すフローチャートである。本実施例は、当該方法を図１に示した実施環境中に応用する例を挙げて説明する。図４Ａに示したように、当該方法は、以下のステップを含んでもよい。
【００５１】
ステップ４０１において、所定のデバイスが無線アクセスポイントにアクセスする。
【００５２】
本実施例は、無線アクセスポイントが無線ルータであり、所定のデバイスが携帯電話である例を挙げて、説明する。
【００５３】
携帯電話は、近くの各々の無線ルータのＳＳＩＤを検索して、検索された各ＳＳＩＤのインターフェイスを表示する。そして、ユーザが当該インターフェイス中で選択した、あるＳＳＩＤの選択信号を受信し、また、ユーザが入力した当該ＳＳＩＤのアクセスパスワードを受信して、ＳＳＩＤ及び受信したアクセスパスワードによって、無線ルータにアクセスする。
【００５４】
ステップ４０２において、所定のデバイスが、無線アクセスポイントのＳＳＩＤ中に、予め設定したキャラクターが含まれているか否かを検出する。
【００５５】
予め設定したキャラクターは、互いに異なるエンコード形式を有するキャラクターである。例えば、中国語のキャラクターは、一般的に、ＵＴＦ−8及びＧＢＫのような二種のエンコード形式を含む。携帯電話は、自身が記憶した既にアクセスした無線ルータのＳＳＩＤ中に、中国語のキャラクターが含まれているか否かを検出する。
【００５６】
ステップ４０３において、所定のデバイスは、検出結果が、予め設定したキャラクターが含まれていると、無線アクセスポイントのアクセス情報をブロードキャストする。
【００５７】
仮に、携帯電話の検出結果が、無線ルータのＳＳＩＤ中に予め設定したキャラクターが含まれていると、携帯電話中のＳＳＩＤのエンコード形式と無線ルータのオリジナルＳＳＩＤのエンコード形式とが、互いに異なることが分かる。この時、携帯電話は、無線ルータのＢＳＳＩＤ及びアクセスパスワードが含まれたアクセス情報をブロードキャストする。オプションとして、当該アクセス情報中には、無線ルータのＳＳＩＤがさらに含まれていてもよく、本実施例ではこれらに対して限定しない。
【００５８】
これに対し、仮に、検出結果が、予め設定したキャラクターが含まれていないと、携帯電話中のＳＳＩＤのエンコード形式と無線ルータのオリジナルＳＳＩＤのエンコード形式とが同一であることが分かる。携帯電話が既に存在するＳＳＩＤ及びアクセスパスワードをブロードキャストした後に、スマートデバイスは当該ＳＳＩＤ及びアクセスパスワードによって無線ルータに正常に接続することができる。この場合、携帯電話は、無線ルータのＳＳＩＤ及びアクセスパスワードをブロードキャストすればよく、本実施例では、この場合に対する詳細な説明は行わない。
【００５９】
オプションとして、携帯電話は、ユーザのトリガ信号を受信した後に、当該アクセス情報をブロードキャストする。例えば、ユーザは、家庭の冷蔵庫を無線ルータにアクセスさせようとする場合、携帯電話に当該アクセス情報をブロードキャストするようにトリガしてもよい。
【００６０】
ステップ４０４において、スマートデバイスは、所定のデバイスが送信した無線アクセスポイントのアクセス情報を受信する。
【００６１】
ステップ４０５において、スマートデバイスは、ＢＳＳＩＤが付加されたＰｒｏｂｅ Ｒｅｑｕｅｓｔをユニキャストする。
【００６２】
ステップ４０６において、無線アクセスポイントは、スマートデバイスがユニキャストしたＰｒｏｂｅ Ｒｅｑｕｅｓｔを受信する。
【００６３】
スマートデバイスがＰｒｏｂｅ Ｒｅｑｕｅｓｔをユニキャストすると、スマートデバイスの周囲に位置する各々のデバイスは、当該Ｐｒｏｂｅ Ｒｅｑｕｅｓｔを受信するようになる。ここで、各々のデバイスは、ＢＳＳＩＤに対応される無線ルータを含む。
【００６４】
ステップ４０７において、無線アクセスポイントは、スマートデバイスに、無線アクセスポイントのオリジナルＳＳＩＤが付加されたＰｒｏｂｅ Ｒｅｓｐｏｎｓｅを送信する。
【００６５】
各々のデバイスは、Ｐｒｏｂｅ Ｒｅｑｕｅｓｔを受信した後に、Ｐｒｏｂｅ Ｒｅｑｕｅｓｔ中に付加された識別子を読み取って、読み取った識別子が自身の識別子であると、Ｐｒｏｂｅ Ｒｅｓｐｏｎｓｅをスマートデバイスにフィードバックしてもよい。即ち、無線ルータは、Ｐｒｏｂｅ Ｒｅｑｕｅｓｔを受信し、Ｐｒｏｂｅ Ｒｅｑｕｅｓｔの中から読み取ったＢＳＳＩＤが自身のＢＳＳＩＤであると、Ｐｒｏｂｅ Ｒｅｓｐｏｎｓｅをスマートデバイスにフィードバックする。ここで、Ｐｒｏｂｅ Ｒｅｓｐｏｎｓｅの中には、無線ルータのオリジナルのＳＳＩＤが付加されていてもよい。本実施例で言及するオリジナルＳＳＩＤとは、無線ルータが認識できるＳＳＩＤであり、エンコード形式が無線ルータ自身に保存したＳＳＩＤのエンコード形式と同一なＳＳＩＤである。
【００６６】
ステップ４０８において、スマートデバイスは、無線アクセスポイントが送信したＰｒｏｂｅ Ｒｅｓｐｏｎｓｅを受信する。
【００６７】
ステップ４０９において、スマートデバイスは、Ｐｒｏｂｅ Ｒｅｓｐｏｎｓｅの中に付加されたオリジナルＳＳＩＤ及びアクセスパスワードによって、無線アクセスポイントにアクセスする。
【００６８】
スマートデバイスは、Ｐｒｏｂｅ Ｒｅｓｐｏｎｓｅを受信した後に、Ｐｒｏｂｅ Ｒｅｓｐｏｎｓｅの中に付加されたオリジナルＳＳＩＤを読み取って、読み取ったオリジナルＳＳＩＤ及びこの前に受信したアクセス情報中のアクセスパスワードによって、当該無線ルータにアクセスする。
【００６９】
本実施例の一応用例において、ユーザは、家庭のエアコンを無線ルータに接続させる必要がある場合、まず、携帯電話を無線ルータにアクセスさせる。正常にアクセスした後、携帯電話が無線ルータのＢＳＳＩＤ及び無線パスワードをブロードキャストするようにトリガする。ホームのエアコンは、携帯電話がブロードキャストした情報を受信した後、受信したＢＳＳＩＤに基づいてデバイス発見情報をユニキャストする。無線ルータは、エアコンがユニキャストしたものが自身のＢＳＳＩＤであると、無線ルータのオリジナルＳＳＩＤが付加されたフィードバック情報をエアコンに送信する。エアコンは、フィードバック情報中のオリジナルＳＳＩＤ及びこの前に携帯電話がブロードキャストした無線パスワードによって、無線ルータに正常にアクセスする。
【００７０】
なお、上記の実施例の中のステップ４０２は、オプションのステップであり、実際に実現する際に、所定のデバイスはステップ４０３を直接に実行してもよい。この場合、ステップ４０３において、所定のデバイスにより無線アクセスポイントのアクセス情報をブロードキャストしてもよい。また、図４Ｂを参照すると、当該方法は、所定のデバイスがブロードキャストしたアクセス情報中にＳＳＩＤ、ＢＳＳＩＤ及びアクセスパスワードが含まれている場合、ステップ４０５の前に、以下のステップをさらに含んでもよい。
【００７１】
ステップ４１０において、スマートデバイスは、アクセス情報中のＳＳＩＤ中に予め設定したキャラクターが含まれているか否かを検出する。
【００７２】
ここで、予め設定したキャラクターは、互いに異なるエンコード形式を有するキャラクターである。本ステップは、上記の実施例中のステップ４０２と類似する。
【００７３】
これに対応して、ステップ４０５において、スマートデバイスは、検出結果が予め設定したキャラクターが含まれていると、ＢＳＳＩＤが付加されたＰｒｏｂｅ Ｒｅｑｕｅｓｔをユニキャストしてもよい。
【００７４】
仮に、検出結果が予め設定したキャラクターが含まれていると、受信したＳＳＩＤのエンコード形式と無線ルータのオリジナルＳＳＩＤのエンコード形式とが互いに異なることが分かる。スマートデバイスは、受信したＳＳＩＤによっては無線ルータにアクセスできないため、ＢＳＳＩＤが付加されたＰｒｏｂｅ Ｒｅｑｕｅｓｔをユニキャストする。
【００７５】
これに対し、仮に、検出結果が、予め設定したキャラクターが含まれていないと、受信したＳＳＩＤのエンコード形式と無線ルータのオリジナルＳＳＩＤのエンコード形式とが同一であることが分かる。スマートデバイスは、無線ルータに直接にアクセスできるため、アクセス情報中のＳＳＩＤ及びアクセスパスワードによって無線アクセスポイントにアクセスしてもよく、本実施例ではこれらに対しては詳細に説明しない。
【００７６】
上記のように、本実施例によって提供する無線アクセスポイントのアクセス方法によると、スマートデバイスは、所定のデバイスがブロードキャストしたＢＳＳＩＤ及びアクセスパスワードを受信し、受信したＢＳＳＩＤに基づいてデバイス発見情報をユニキャストし、無線アクセスデバイスがデバイス発見情報を受信した後に送信した無線アクセスポイントのオリジナルＳＳＩＤを含むフィードバック情報を受信して、フィードバック情報中のオリジナルＳＳＩＤ及び既に受信したアクセスパスワードによって、無線アクセスポイントにアクセスする。このようにして、関連技術における無線ルータによってスマートデバイスが受信したＳＳＩＤが認識できないことにより、スマートデバイスが無線ルータに正常に接続できない問題を解決して、スマートデバイスを無線ルータに正常に接続させるようにする技術効果を得た。
【００７７】
上記の実施例中において、所定のデバイス側のステップを、別の実現として、所定のデバイスにおける無線アクセスポイントのアクセス方法としてもよいし、スマートデバイス側のステップを、別の実現として、スマートデバイス側の無線アクセスポイントのアクセス方法としてもよいし、無線アクセスポイント側のステップを、別の実現として、無線アクセスポイント側の無線アクセスポイントのアクセス方法としてもよい。
【００７８】
以下は、本発明の装置の実施例であり、本発明の方法の実施例を実行することができる。本発明の装置の実施例において記述していない詳細な内容に対しては、本発明の方法の実施例を参照して頂きたい。
【００７９】
図５は、例示的な一実施例に係る無線アクセスポイントのアクセス装置を示すブロック図である。当該装置は、ハードウェア、ソフトウェア、または、両方の組合せによって、図１に示した実施環境中のスマートデバイス１４０の全部、または、一部の機能を実現してもよい。当該装置は、第１受信モジュール５１０、ユニキャストモジュール５２０、第２受信モジュール５３０及びアクセスモジュール５４０を備えてもよい。
【００８０】
第１受信モジュール５１０は、無線アクセスポイントに正常にアクセスしたデバイスである所定のデバイスがブロードキャストした無線アクセスポイントのアクセス情報であって、無線アクセスポイントのＢＳＳＩＤ及びアクセスパスワードを含むアクセス情報を受信する。
【００８１】
ユニキャストモジュール５２０は、第１受信モジュール５１０が受信したＢＳＳＩＤに基づいて、前記ＢＳＳＩＤが付加されたデバイス発見情報をユニキャストする。
【００８２】
第２受信モジュール５３０は、無線アクセスポイントが送信したフィードバック情報であって、無線アクセスポイントのオリジナルＳＳＩＤが付加されたフィードバック情報を受信する。
【００８３】
アクセスモジュール５４０は、第２受信モジュール５３０が受信したフィードバック情報中に付加されたオリジナルＳＳＩＤ、及び、第１受信モジュール５１０が受信したアクセスパスワードによって、無線アクセスポイントにアクセスする。
【００８４】
上記のように、本実施例によって提供する無線アクセスポイントのアクセス装置によれば、スマートデバイスは、所定のデバイスがブロードキャストしたＢＳＳＩＤ及びアクセスパスワードを受信し、受信したＢＳＳＩＤに基づいてデバイス発見情報をユニキャストし、無線アクセスデバイスがデバイス発見情報を受信した後に送信した無線アクセスポイントのオリジナルＳＳＩＤを含むフィードバック情報を受信して、フィードバック情報中のオリジナルＳＳＩＤ及び既に受信したアクセスパスワードによって、無線アクセスポイントにアクセスする。このようにして、関連技術における無線ルータによってスマートデバイスが受信したＳＳＩＤが認識できないことによる、スマートデバイスが無線ルータに正常に接続できない問題を解決して、スマートデバイスを無線ルータに正常に接続させるようにする技術効果を得た。
【００８５】
図６は、例示的な一実施例に係る無線アクセスポイントのアクセス装置を示すブロック図である。当該装置は、ハードウェア、ソフトウェア、または、両方の組合せによって、図１に示した実施環境中のスマートデバイス１４０の全部、または、一部の機能を実現してもよい。当該装置は、第１受信モジュール６１０、ユニキャストモジュール６２０、第２受信モジュール６３０及びアクセスモジュール６４０を備えてもよい。
【００８６】
第１受信モジュール６１０は、無線アクセスポイントに正常にアクセスしたデバイスである所定のデバイスがブロードキャストした無線アクセスポイントのアクセス情報であって、無線アクセスポイントのＢＳＳＩＤ及びアクセスパスワードを含むアクセス情報を受信する。
【００８７】
ユニキャストモジュール６２０は、第１受信モジュール６１０が受信したＢＳＳＩＤに基づいて、前記ＢＳＳＩＤが付加されたデバイス発見情報をユニキャストする。
【００８８】
第２受信モジュール６３０は、無線アクセスポイントが送信したフィードバック情報であって、無線アクセスポイントのオリジナルＳＳＩＤが付加されたフィードバック情報を受信する。
【００８９】
アクセスモジュール６４０は、第２受信モジュール６３０が受信したフィードバック情報中に付加されたオリジナルＳＳＩＤ、及び、第１受信モジュール６１０が受信したアクセスパスワードによって、無線アクセスポイントにアクセスする。
【００９０】
オプションとして、ユニキャストモジュール６２０は、さらに、ＢＳＳＩＤが付加されたＰｒｏｂｅ Ｒｅｑｕｅｓｔをユニキャストする。
【００９１】
スマートデバイスは、Ｐｒｏｂｅ Ｒｅｑｕｅｓｔをユニキャストした後、スマートデバイスの周囲に位置する各々のデバイスは、当該Ｐｒｏｂｅ Ｒｅｑｕｅｓｔを受信することになる。ここで、各々のデバイスは、ＢＳＳＩＤに対応する無線ルータを含む。
【００９２】
オプションとして、第２受信モジュール６３０は、さらに、無線アクセスポイントが送信したＰｒｏｂｅ Ｒｅｓｐｏｎｓｅを受信する。
【００９３】
各々のデバイスは、Ｐｒｏｂｅ Ｒｅｑｕｅｓｔを受信した後に、Ｐｒｏｂｅ Ｒｅｑｕｅｓｔ中に付加された識別子を読み取って、読み取った識別子が自身の識別子であると、Ｐｒｏｂｅ Ｒｅｓｐｏｎｓｅをスマートデバイスにフィードバックしてもよい。即ち、無線ルータは、Ｐｒｏｂｅ Ｒｅｑｕｅｓｔを受信し、Ｐｒｏｂｅ Ｒｅｑｕｅｓｔの中から読み取ったＢＳＳＩＤが自身のＢＳＳＩＤであると、Ｐｒｏｂｅ Ｒｅｓｐｏｎｓｅをスマートデバイスにフィードバックする。これに対応して、スマートデバイスは、第２受信モジュール６３０を用いて当該Ｐｒｏｂｅ Ｒｅｓｐｏｎｓｅを受信する。ここで、Ｐｒｏｂｅ Ｒｅｓｐｏｎｓｅの中には、無線ルータのオリジナルのＳＳＩＤが付加されていてもよい。本実施例で言及するオリジナルＳＳＩＤとは、無線ルータが認識できるＳＳＩＤであり、エンコード形式が無線ルータ自身に保存したＳＳＩＤのエンコード形式と同一のＳＳＩＤである。
【００９４】
一実現可能な方法において、アクセス情報は、所定のデバイスがブロードキャストした無線アクセスポイントのＳＳＩＤをさらに含み、当該装置は、検出モジュール６５０をさらに備える。
【００９５】
検出モジュール６５０は、ユニキャストモジュール６２０がＢＳＳＩＤに基づいてデバイス発見情報をユニキャストする前に、アクセス情報中のＳＳＩＤ中に、互いに異なるエンコード形式が存在するキャラクターである予め設定したキャラクターが含まれているか否かを検出する。
【００９６】
ユニキャストモジュール６２０は、検出モジュール６５０の検出結果が、予め設定したキャラクターが含まれていると、ＢＳＳＩＤに基づいて発見情報をユニキャストする。
【００９７】
仮に、検出結果が予め設定したキャラクターが含まれていると、受信したＳＳＩＤのエンコード形式と無線ルータのオリジナルＳＳＩＤのエンコード形式とが、互いに異なることが分かる。スマートデバイスは、受信したＳＳＩＤによっては無線ルータにアクセスできないため、ユニキャストモジュール６２０を用いてＢＳＳＩＤが付加されたＰｒｏｂｅ Ｒｅｑｕｅｓｔをユニキャストする。
【００９８】
これに対し、仮に、検出結果が、予め設定したキャラクターが含まれていないと、受信したＳＳＩＤのエンコード形式と無線ルータのオリジナルＳＳＩＤのエンコード形式とが同一であることが分かる。スマートデバイスは、無線ルータに直接にアクセスできるため、アクセス情報中のＳＳＩＤ及びアクセスパスワードによって無線アクセスポイントにアクセスすればよく、本実施例ではこの場合に対する詳細な説明は行わない。
【００９９】
上記のように、本実施例によって提供する無線アクセスポイントのアクセス装置によれば、スマートデバイスは、所定のデバイスがブロードキャストしたＢＳＳＩＤ及びアクセスパスワードを受信し、受信したＢＳＳＩＤに基づいてデバイス発見情報をユニキャストし、無線アクセスデバイスがデバイス発見情報を受信した後に送信した無線アクセスポイントのオリジナルＳＳＩＤを含むフィードバック情報を受信して、フィードバック情報中のオリジナルＳＳＩＤ及び既に受信したアクセスパスワードによって、無線アクセスポイントにアクセスする。このようにして、関連技術における無線ルータによってスマートデバイスが受信したＳＳＩＤが認識できないことによる、スマートデバイスが無線ルータに正常に接続できない問題を解決して、スマートデバイスを無線ルータに正常に接続させるようにする技術効果を得た。
【０１００】
図７は、例示的な他の一実施例に係る無線アクセスポイントのアクセス装置を示すブロック図である。当該装置は、ハードウェア、ソフトウェア、または、両方の組合せによって、図１に示した実施環境中の所定のデバイス１２０の全部、または、一部の機能を実現してもよい。当該装置は、アクセスモジュール７１０及びブロードキャストモジュール７２０を備えてもよい。
【０１０１】
アクセスモジュール７１０は、無線アクセスポイントにアクセスする。
【０１０２】
ブロードキャストモジュール７２０は、スマートデバイスが無線アクセスポイントにアクセスするように指示するための無線アクセスポイントのＢＳＳＩＤ及びアクセスパスワードを含む無線アクセスポイントのアクセス情報をブロードキャストする。
【０１０３】
上記のように、本実施例によって提供する無線アクセスポイントのアクセス装置によれば、無線アクセスポイントに正常にアクセスした後に、無線アクセスポイントのアクセス情報をスマートデバイスにブロードキャストして、スマートデバイスが受信したアクセス情報中のＢＳＳＩＤ及びアクセスパスワードによって無線アクセスポイントにアクセスするようにする。このようにして、関連技術における無線ルータによってスマートデバイスが受信したＳＳＩＤが認識できないことによる、スマートデバイスが無線ルータに正常に接続できない問題を解決して、スマートデバイスを無線ルータに正常に接続させるようにする技術効果を得た。
【０１０４】
図８は、例示的な他の一実施例に係る無線アクセスポイントのアクセス装置を示すブロック図である。当該装置は、ハードウェア、ソフトウェア、または、両方の組合せによって、図１に示した実施環境中の所定のデバイス１２０の全部、または、一部の機能を実現してもよい。当該装置は、アクセスモジュール８１０及びブロードキャストモジュール８２０を備えてもよい。
【０１０５】
アクセスモジュール８１０は、無線アクセスポイントにアクセスする。
【０１０６】
本実施例は、無線アクセスポイントが無線ルータであり、所定のデバイスが携帯電話である例を挙げて、説明する。
【０１０７】
携帯電話は、近くの各々の个無線ルータのＳＳＩＤを検索して、検索された各ＳＳＩＤのインターフェイスを表示する。そして、ユーザが当該インターフェイス中で選択したあるＳＳＩＤの選択信号を受信し、また、ユーザが入力した当該ＳＳＩＤのアクセスパスワードを受信して、ＳＳＩＤ及び受信したアクセスパスワードによって、無線ルータにアクセスする。
【０１０８】
ブロードキャストモジュール８２０は、スマートデバイスが無線アクセスポイントにアクセスするように指示するための無線アクセスポイントのＢＳＳＩＤ及びアクセスパスワードを含む無線アクセスポイントのアクセス情報をブロードキャストする。
【０１０９】
オプションとして、当該装置は、検出モジュール８３０をさらに備えても良い。
【０１１０】
検出モジュール８３０は、ブロードキャストモジュール８２０が無線アクセスポイントのアクセス情報をスマートデバイスに送信する前に、無線アクセスポイントのＳＳＩＤ中に、互いに異なるエンコード形式が存在するキャラクターである予め設定したキャラクターが含まれているか否かを検出する。
【０１１１】
ブロードキャストモジュール８２０は、検出モジュール８３０の検出結果が、予め設定したキャラクターが含まれていると、無線アクセスポイントのアクセス情報をブロードキャストする。
【０１１２】
仮に、携帯電話の検出結果が、無線ルータのＳＳＩＤ中に予め設定したキャラクターが含まれていると、携帯電話中のＳＳＩＤのエンコード形式と無線ルータのオリジナルＳＳＩＤのエンコード形式とが、互いに異なることが分かる。この時、携帯電話は、ブロードキャストモジュール８２０を用いて無線ルータのＢＳＳＩＤ及びアクセスパスワードが含まれたアクセス情報をブロードキャストする。オプションとして、当該アクセス情報中には、無線ルータのＳＳＩＤがさらに含まれてもよく、本実施例ではこれらに対して限定しない。
【０１１３】
これに対し、仮に、検出結果が、予め設定したキャラクターが含まれていないと、携帯電話中のＳＳＩＤのエンコード形式と無線ルータのオリジナルＳＳＩＤのエンコード形式とが同一であることが分かる。携帯電話が既に存在するＳＳＩＤ及びアクセスパスワードをブロードキャストした後に、スマートデバイスは当該ＳＳＩＤ及びアクセスパスワードによって無線ルータに正常に接続することができる。この場合、携帯電話は、無線ルータのＳＳＩＤ及びアクセスパスワードをブロードキャストすればよく、本実施例ではこの場合に対する詳細な説明は行わない。
【０１１４】
上記のように、本実施例によって提供する無線アクセスポイントのアクセス装置によれば、無線アクセスポイントに正常にアクセスした後に、無線アクセスポイントのアクセス情報をスマートデバイスにブロードキャストして、スマートデバイスが受信したアクセス情報中のＢＳＳＩＤ及びアクセスパスワードによって無線アクセスポイントにアクセスするようにする。このようにして、関連技術における無線ルータによってスマートデバイスが受信したＳＳＩＤが認識できないことによる、スマートデバイスが無線ルータに正常に接続できない問題を解決して、スマートデバイスを無線ルータに正常に接続させるようにする技術効果を得た。
【０１１５】
上記の実施例によって提供する無線アクセスポイントのアクセス機能を実現する際に、上記の各々の機能モジュールに割り当てて実行する例を挙げて説明したが、実際に応用する際には、必要によって上記の機能を互いに異なる機能モジュールに割り当てて実行してもよく、即ち、装置の内部構成を互いに異なる機能モジュールに割り当てて、以上に記載した全部または一部の機能を実行してもよい。
【０１１６】
上記の実施例の装置について、その各モジュールが実行する操作の具体的な形態は既に当該方法に関する実施例において詳細に説明したため、ここでは詳細に説明しない。
【０１１７】
本発明の例示的な一実施例は、無線アクセスポイントのアクセス方法を実現できる無線アクセスポイントのアクセス装置をさらに提供する。
【０１１８】
当該無線アクセスポイントのアクセス装置は、
プロセッサと、
前記プロセッサが実行可能な命令を記憶するためのメモリと
を備え、
前記プロセッサは、
無線アクセスポイントに正常にアクセスしたデバイスである所定のデバイスがブロードキャストした無線アクセスポイントのアクセス情報であって、無線アクセスポイントのＢＳＳＩＤ及びアクセスパスワードを含むアクセス情報を受信し、
ＢＳＳＩＤに基づいて前記ＢＳＳＩＤが付加されたデバイス発見情報をユニキャストし、
無線アクセスポイントが送信したフィードバック情報であって、無線アクセスポイントのオリジナルＳＳＩＤが付加されたフィードバック情報を受信し、
フィードバック情報中に付加されたオリジナルＳＳＩＤ及びアクセスパスワードによって、無線アクセスポイントにアクセスする
ように構成される。
【０１１９】
本発明の例示的な他の一実施例は、無線アクセスポイントのアクセス方法を実現できる無線アクセスポイントのアクセス装置をさらに提供する。
【０１２０】
当該無線アクセスポイントのアクセス装置は、
プロセッサと、
前記プロセッサが実行可能な命令を記憶するためのメモリと
を備え、
前記プロセッサは、
無線アクセスポイントにアクセスし、
スマートデバイスが無線アクセスポイントにアクセスするように指示するための無線アクセスポイントのＢＳＳＩＤ及びアクセスパスワードを含む無線アクセスポイントのアクセス情報をブロードキャストする
ように構成される。
【０１２１】
図９は、例示的な一実施例に係る無線アクセスポイントのアクセス装置を示すブロック図である。例えば、装置９００は、図１に示した実施環境中の所定のデバイス１２０、または、スマートデバイス１４０を実現できる。
【０１２２】
図９を参照して、装置９００は、プロセスアセンブリ９０２、メモリ９０４、電源アセンブリ９０６、マルチメディアアセンブリ９０８、オーディオアセンブリ９１０、入出力（Ｉ／Ｏ）インターフェイス９１２、センサアセンブリ９１４、及び通信アセンブリ９１６のような一つ以上のアセンブリを含んでいてもよい。
【０１２３】
プロセスアセンブリ９０２は、一般的に装置９００の全体の動作を制御するものであり、例えば、表示、電話呼び出し、データ通信、カメラ動作、及び記録動作に関連する動作を制御する。プロセスアセンブリ９０２は、一つ以上のプロセッサ９２０を含み、これらによって命令を実行することにより、上記の方法の全部、または一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１２４】
メモリ９０４は、各種のデータを記憶することにより装置９００の動作をサポートするように構成される。これらのデータの例は、装置９００において動作するいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、または光ディスクである。
【０１２５】
電源アセンブリ９０６は、装置９００の多様なアセンブリに電力を供給する。電源アセンブリ９０６は、電源管理システム、一つ以上の電源、及び装置９００のための電力の生成、管理及び割り当てに関連付けられている他のアセンブリを含んでもよい。
【０１２６】
マルチメディアアセンブリ９０８は、前記装置９００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、又はスワイプの動作の境界だけでなく、前記のタッチ、又はスワイプ操作に係る継続時間及び圧力も検出できる。上記の実施例において、マルチメディアアセンブリ９０８は、一つのフロントカメラ、及び／又はリアカメラを含む。装置９００が、例えば撮影モード、又はビデオモード等の動作モードにある場合、フロントカメラ、及び／又はリアカメラは外部からマルチメディアデータを受信できる。フロントカメラとリアカメラのそれぞれは、一つの固定型の光レンズ系、又は可変焦点距離と光学ズーム機能を有するものであってもよい。
【０１２７】
オーディオアセンブリ９１０は、オーディオ信号を入出力するように構成されてもよい。例えば、オーディオアセンブリ９１０は、一つのマイク（ＭＩＣ）を含み、装置９００が、例えば呼出しモード、記録モード、及び音声認識モード等の動作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１２８】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１２９】
センサアセンブリ９１４は、装置９００に各種の状態に対する評価を提供するための一つ以上のセンサを含む。例えば、センサアセンブリ９１４は、装置９００のＯＮ／ＯＦＦ状態、装置９００のディスプレイとキーパッドのようなアセンブリの相対的な位置決めを検出できる。また、例えば、センサアセンブリ９１４は、装置９００、又は装置９００の一つのアセンブリの位置変更、ユーザと装置９００とが接触しているか否か、装置９００の方位、又は加速／減速、装置９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ画像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１３０】
通信アセンブリ９１６は、装置９００と他の機器の間に有線、又は利便性のよい形態の通信を提供する。装置９００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１３１】
例示的な実施例において、装置９００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１３２】
例示的な実施例において、さらに、命令を含むコンピュータ読取り可能な非一時的な記録媒体、例えば命令を含むメモリ９０４を提供しており、装置９００のプロセッサ９２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１３３】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１３４】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【０１３５】
本願は、出願番号がＣＮ２０１６１０２３０５５０.１であって、出願日が２０１６年４月１４日である中国特許出願に基づいて優先権を主張し、当該中国特許出願のすべての内容を援用する。
【図１】
0006427203.tif 000002
【図２】
0006427203.tif 000003
【図３】
0006427203.tif 000004
【図４Ａ】
0006427203.tif 000005
【図４Ｂ】
0006427203.tif 000006
【図５】
0006427203.tif 000007
【図６】
0006427203.tif 000008
【図７】
0006427203.tif 000009
【図８】
0006427203.tif 000010
【図９】
0006427203.tif 000011